(57)【要約】【課題】簡単な操作によって、文字スーパー情報の表示または非表示の選択を行うこと。【解決手段】複数種類の情報を多重化して出力するデジタル放送多重化装置において、多重化される対象となる複数種類の情報に含まれる画像情報および／または文字情報を含むパケットに対して再生タイミングを示すタイムスタンプを付加または削除する編集手段（タイムスタンプ編集部１０４）と、編集手段によってタイムスタンプが付加または削除された場合に、その付加または削除に応じて、ＰＭＴ（Program Map Table）を修正する修正手段（ＰＭＴ編集部１０８）と、を有する。【選択図】図２
2014183416.tif 000002
【特許請求の範囲】
【請求項１】
複数種類の情報を多重化して出力するデジタル放送多重化装置において、
多重化される対象となる前記複数種類の情報に含まれる画像情報および／または文字情報を含むパケットに対して再生タイミングを示すタイムスタンプを付加または削除する編集手段と、
前記編集手段によって前記タイムスタンプが付加または削除された場合に、その付加または削除に応じて、ＰＭＴ（Program Map Table）を修正する修正手段と、
を有することを特徴とするデジタル放送多重化装置。
【請求項２】
前記画像情報および／または文字情報は、文字スーパー情報であり、
前記編集手段は、文字スーパー情報のパケットに対してタイムスタンプを付加する、
ことを特徴とする請求項１に記載のデジタル放送多重化装置。
【請求項３】
前記編集手段は、前記複数種類の情報を含むＴＳ（Transport Stream）に含まれるＰＣＲ（Program Clock Reference）に基づいてＳＴＣ（System Time Clock）を生成し、このＳＴＣに基づいて前記タイムスタンプを付加する、
ことを特徴とする請求項２に記載のデジタル放送多重化装置。
【請求項４】
前記画像情報および／または文字情報は、字幕情報であり、
前記編集手段は、字幕情報のパケットからタイムスタンプを削除する、
ことを特徴とする請求項１乃至３のいずれか１項に記載のデジタル放送多重化装置。
【請求項５】
複数種類の情報を多重化して送信装置から送信し、受信装置で受信するデジタル放送多重化システムにおいて、
前記送信装置は、
多重化される対象となる前記複数種類の情報に含まれる画像情報および／または文字情報を含むパケットに対して再生タイミングを示すタイムスタンプを付加または削除する編集手段と、
前記編集手段によって前記タイムスタンプが付加または削除された場合に、その付加または削除に応じて、ＰＭＴ（Program Map Table）を修正する修正手段と、を有し、
前記受信装置は、
前記タイムスタンプを参照して、前記パケットの再生タイミングを調整する調整手段と、
前記調整手段によって調整されたタイミングに基づいて前記パケットを再生する再生手段と、を有する、
ことを特徴とするデジタル放送多重化システム。
【発明の詳細な説明】
【技術分野】
【０００１】
本発明は、デジタル放送多重化装置およびデジタル放送多重化システムに関するものである。
【背景技術】
【０００２】
特許文献１には、送信側では、ＭＰＥＧのトランスポートストリームからＰＣＲ（Program Clock Reference）を検出し、この検出したＰＣＲに応じたシンクタイムを付与し、受信側では、シンクタイムに応じて再生を行うことで、トランスポートストリームを正確に送受信することが可能な技術が開示されている。
【先行技術文献】
【特許文献】
【０００３】
【特許文献１】特開平０８−１４９４２８号公報
【発明の概要】
【発明が解決しようとする課題】
【０００４】
ところで、特許文献１に開示する技術において、ＰＣＲを用いることで、映像・音声に同期して翻訳文等を表示する字幕情報については、例えば、リモートコントローラを操作することによって、この字幕情報の表示または非表示の選択を簡単に行うことができる。しかし、映像・音声とは非同期で任意の表示を行うことができる文字スーパー情報については、このような選択を行うことができないという問題点があった。
【０００５】
本発明は、以上の点に鑑みてなされたものであり、簡単な操作によって、文字スーパー情報の表示または非表示の選択を行うことができるデジタル放送多重化装置およびデジタル放送多重化システムを提供することを目的としている。
【課題を解決するための手段】
【０００６】
上記課題を解決するために、本発明は、複数種類の情報を多重化して出力するデジタル放送多重化装置において、多重化される対象となる前記複数種類の情報に含まれる画像情報および／または文字情報を含むパケットに対して再生タイミングを示すタイムスタンプを付加または削除する編集手段と、前記編集手段によって前記タイムスタンプが付加または削除された場合に、その付加または削除に応じて、ＰＭＴ（Program Map Table）を修正する修正手段と、を有することを特徴とする。
このような構成によれば、簡単な操作によって、文字スーパー情報の表示または非表示の選択を行うことができる。
【０００７】
また、本発明の一側面は、前記画像情報および／または文字情報は、文字スーパー情報であり、前記編集手段は、文字スーパー情報のパケットに対してタイムスタンプを付加する、ことを特徴とする。
このような構成によれば、文字スーパー情報を字幕情報化することで、文字スーパー情報の表示または非表示の選択を簡単に行うことができる。
【０００８】
また、本発明の一側面は、前記編集手段は、前記複数種類の情報を含むＴＳ（Transport Stream）に含まれるＰＣＲ（Program Clock Reference）に基づいてＳＴＣ（System Time Clock）を生成し、このＳＴＣに基づいて前記タイムスタンプを付加することを特徴とする。
このような構成によれば、ＰＣＲに基づいてＳＴＣを生成し、タイムスタンプを簡単に生成することができる。
【０００９】
また、本発明の一側面は、前記画像情報および／または文字情報は、字幕情報であり、前記編集手段は、字幕情報のパケットからタイムスタンプを削除する、ことを特徴とする。
このような構成によれば、文字スーパーを字幕化するのみならず、字幕を文字スーパー化することができる。
【００１０】
また、本発明は、複数種類の情報を多重化して送信装置から送信し、受信装置で受信するデジタル放送多重化システムにおいて、前記送信装置は、多重化される対象となる前記複数種類の情報に含まれる画像情報および／または文字情報を含むパケットに対して再生タイミングを示すタイムスタンプを付加または削除する編集手段と、前記編集手段によって前記タイムスタンプが付加または削除された場合に、その付加または削除に応じて、ＰＭＴ（Program Map Table）を修正する修正手段と、を有し、前記受信装置は、前記タイムスタンプを参照して、前記パケットの再生タイミングを調整する調整手段と、前記調整手段によって調整されたタイミングに基づいて前記パケットを再生する再生手段と、を有する、ことを特徴とする。
このような構成によれば、文字スーパー情報を字幕情報化することで、文字スーパー情報の表示または非表示の選択を簡単に行うことができる。
【発明の効果】
【００１１】
本発明によれば、簡単な操作によって、文字スーパー情報の表示または非表示の選択を行うことができるデジタル放送多重化装置およびデジタル放送多重化システムを提供することが可能になる。
【図面の簡単な説明】
【００１２】
【図１】本発明の実施形態に係るデジタル放送多重化装置を有するデジタル放送多重化システムの構成例を示す図である。
【図２】図１に示す送信装置の詳細な構成例を示す図である。
【図３】図１に示す受信装置の詳細な構成例を示す図である。
【図４】図２に示す送信装置の動作を説明するためのタイミングチャートである。
【図５】図２に示す送信装置の動作を説明するためのタイミングチャートである。
【図６】図１に示す送信装置において実行される処理の一例を説明するためのフローチャートである。
【発明を実施するための形態】
【００１３】
次に、本発明の実施形態について説明する。
【００１４】
（Ａ）実施形態の構成の説明
図１は、本発明の実施形態に係るデジタル放送多重化装置を含むデジタル放送多重化システムの構成例を示す図である。図１に示すように、本発明の実施形態に係るデジタル放送多重化システム１は、送信側装置１０および受信側装置２０を有している。ここで、送信側装置１０は、本発明のデジタル放送多重化装置に係る送信装置１００、ＴＳ（Transport Stream）生成装置１２０、および、文字スーパー生成装置１３０を有している。また、受信側装置２０は、受信装置２００および表示・再生装置２２０を有している。
【００１５】
送信側装置１０を構成するＴＳ生成装置１２０は、映像、音声、字幕、文字スーパー、および、ＰＣＲ（Program Clock Reference）を含むトランスポートストリーム（ＴＳ）を生成して出力する。ここで、字幕とは、映像・音声に同期して表示される翻訳文等の情報であり、ＰＣＲに応じて生成されるＳＴＣ（System Time Clock）に基づいて表示される。文字スーパー生成装置１３０は、文字スーパーを生成して出力する。ここで、文字スーパーとは、映像・音声とは非同期で表示される、例えば、地震速報等の緊急情報や、ニュース速報や、道路交通情報や、選挙速報等のような情報であり、前述したＳＴＣとは無関係に表示される情報である。
【００１６】
送信装置１００は、ＴＳ生成装置１２０から出力されるＴＳと、文字スーパー生成装置１３０から出力される文字スーパー等の情報を多重化して受信装置２００に対して電波として送信する。
【００１７】
図２は、図１に示す送信装置１００の詳細な構成例を示す図である。この図に示すように、送信装置１００は、分解部１０１、選択部１０２、ＳＴＣ再生部１０３、タイムスタンプ編集部１０４、文字スーパー生成部１０５、テキスト生成部１０６、制御部１０７、ＰＭＴ（Program Map Table）編集部１０８、合成部１０９、および、送信部１１０を有している。
【００１８】
分解部１０１は、ＴＳ生成装置１２０から出力されるＴＳを入力し、映像・音声を抽出して合成部１０９に出力し、字幕（または、文字スーパー）を抽出して選択部１０２に出力し、ＰＣＲを抽出してＳＴＣ再生部１０３に出力する。
【００１９】
選択部１０２は、分解部１０１、文字スーパー生成装置１３０、または、文字スーパー生成部１０５から出力される文字スーパー（または、字幕）を選択し、タイムスタンプ編集部１０４に出力する。
【００２０】
ＳＴＣ再生部１０３は、内蔵するクロック信号発生部（不図示）から供給されるクロック信号に同期してＳＴＣのカウント動作を実行し、分解部１０１から供給されるＰＣＲに基づいてＳＴＣを調整する。ＳＴＣ再生部１０３によって生成されたＳＴＣは、タイムスタンプ編集部１０４に供給される。
【００２１】
タイムスタンプ編集部１０４は、制御部１０７の制御に応じて、選択部１０２から供給される文字スーパーに対してタイムスタンプを付加し、合成部１０９に出力する。あるいは、制御部１０７の制御に応じて、選択部１０２から供給される字幕からタイムスタンプを削除し、合成部１０９に出力する。
【００２２】
テキスト生成部１０６は、文字スーパーとして表示しようとするテキストを生成して出力する。文字スーパー生成部１０５は、テキスト生成部１０６から出力されたテキストに基づいて文字スーパーを生成して選択部１０２に出力する。
【００２３】
制御部１０７は、図示しない半導体記憶装置に格納されているプログラムに基づいて、選択部１０２、タイムスタンプ編集部１０４、および、ＰＭＴ編集部１０８を制御する。
【００２４】
ＰＭＴ編集部１０８は、合成部１０９から出力される信号に含まれているパケットのそれぞれに格納されている情報の種類を示すテーブルであるＰＭＴを編集する。
【００２５】
合成部１０９は、分解部１０１から出力される映像・音声、タイムスタンプ編集部１０４から出力される字幕または文字スーパー、および、ＰＭＴ編集部１０８によって編集されたＰＭＴを合成して、送信部１１０に出力する。
【００２６】
送信部１１０は、合成部１０９から出力された信号を電波に変換して、受信装置２００に対して送信する。
【００２７】
受信装置２００は、送信装置１００から送信された電波を受信し、多重化された情報分離するとともに、同期制御を行った後、映像信号を生成して表示・再生装置２２０に出力する。表示・再生装置２２０は、受信装置２００から出力された映像信号を表示および再生する。
【００２８】
図３は、図１に示す受信装置２００の詳細な構成例を示す図である。この図に示すように、受信装置２００は、受信部２０１、分離部２０２、映像復号部２０３、音声復号部２０４、字幕復号部２０５、文字スーパー復号部２０６、同期制御部２０７、および、合成部２０８を有している。
【００２９】
ここで、受信部２０１は、送信部１１０から送信された電波を受信し、電気信号に変換して出力する。分離部２０２は、受信部２０１から供給された電気信号から、映像、音声、字幕、および、文字スーパーを分離し、出力する。映像復号部２０３は、分離部２０２によって分離された映像を取得し、復号処理を施した後、同期制御部２０７に出力する。音声復号部２０４は、分離部２０２によって分離された音声を取得し、復号処理を施した後、同期制御部３０７に出力する。字幕復号部２０５は、分離部２０２によって分離された字幕を取得し、復号処理を施した後、同期制御部３０７に出力する。文字スーパー復号部２０６は、分離部２０２によって分離された文字スーパーを取得し、復号処理を施した後、合成部２０８に出力する。
【００３０】
同期制御部２０７は、映像復号部２０３、音声復号部２０４、および、字幕復号部２０５から出力されるそれぞれの情報をＰＣＲに応じて同期するように調整して、合成部２０８に出力する。合成部２０８は、同期制御部２０７から出力される映像、音声、字幕、および、文字スーパーを合成して表示・再生装置２２０に出力する。
【００３１】
（Ｂ）実施形態の構成の説明
次に、本発明の実施形態の動作について説明する。ＴＳ生成装置１２０から出力されたＴＳは、分解部１０１に供給され、そこで映像・音声が抽出され、合成部１０９に供給される。また、分解部１０１はＴＳから文字または文字スーパーを抽出し選択部１０２に供給する。さらに、分解部１０１は、ＴＳからＰＣＲを抽出してＳＴＣ再生部１０３に供給する。ＳＴＣ再生部１０３は、内蔵されているクロック信号発生部から出力されるクロック信号に基づいてＳＴＣをカウントするとともに、分解部１０１から供給されるＰＣＲに応じてＳＴＣのカウント値の微調整を行い、得られたＳＴＣを、タイムスタンプ編集部１０４に供給する。
【００３２】
選択部１０２は、分解部１０１から供給される文字スーパーもしくは字幕、文字スーパー生成装置１３０から供給される文字スーパー、または、文字スーパー生成部１０５から供給される文字スーパーのいずれかを制御部１０７の制御に応じて選択し、タイムスタンプ編集部１０４に供給する。
【００３３】
タイムスタンプ編集部１０４は、制御部１０７の制御に応じて、選択部１０２から供給される文字スーパーに対して、ＳＴＣ再生部１０３のＳＴＣの値に対応するＰＴＳを付加する。また、タイムスタンプ編集部１０４は、制御部１０７の制御に応じて、選択部１０２から供給される字幕からＰＴＳを削除する。
【００３４】
図４は、文字スーパー情報に対してＰＴＳを付加しない場合の動作を説明するための図である。なお、この図において横軸は時間を示している。図４（Ａ）〜（Ｄ）は、それぞれ、映像、音声、および、字幕を示している。このように、これらのパケットには、再生のタイミングを同期するためのＰＴＳが付加されており、受信装置２００においてＰＴＳに従って再生することにより映像、音声、および、字幕の再生タイミングを同期することができる。なお、図４（Ｅ）に示す文字スーパーには、通常はＰＴＳが付加されていない。このため、文字スーパーについては、同期の制御は行われない。
【００３５】
図５は、タイムスタンプ編集部１０４において、文字スーパーにＰＴＳを付加した場合の例を示している。この例では、映像、音声、および、字幕のパケットにはＰＴＳ＝１００およびＰＴＳ＝２００が付加されており、図４に示す文字スーパーのパケットには、ＰＴＳ＝１２０およびＰＴＳ＝２４０が付加されている。なお、このようなＰＴＳは、例えば、タイムスタンプ編集部１０４に文字スーパーが入力されるタイミングにおいて、ＳＴＣ再生部１０３のＳＴＣの値が参照されて、ＰＴＳが付与される。この結果、タイムスタンプ編集部１０４から出力される文字スーパーには、通常の文字スーパーのパケットとは異なり、ＰＴＳが付加されることになる。なお、文字スーパーは、例えば、映像等とは同期する必要がないので、文字スーパーに付加されるＰＴＳの値は、図５に示すように、映像等に付与されているＰＴＳとはその値が異なっていてもよい。
【００３６】
以上のようにして、タイムスタンプ編集部１０４によってＰＴＳが必要に応じて付加された文字スーパーは合成部１０９に供給される。ＰＭＴ編集部１０８は、タイムスタンプ編集部１０４によって文字スーパーにＰＴＳが付加された場合には、パケットの構成が変化するため、変化後の構成に応じたＰＭＴを生成して出力する。より詳細には、ＰＭＴは、ある番組に含まれている映像、音声等のＰＩＤ（Packet ID(Idetification)）を格納しているので、文字スーパーにＰＴＳが付与されると、システム上は字幕として判定されるので、このＰＴＳが含まれている文字スーパーのＰＩＤを字幕のＰＩＤとしてＰＭＴに格納する。そして、このようにして生成されたＰＭＴは、ＰＭＴ編集部１０８から合成部１０９に出力される。
【００３７】
合成部１０９では、分解部１０１から供給される映像・音声、タイムスタンプ編集部１０４から供給される文字スーパーまたは字幕、および、ＰＭＴ編集部１０８から供給されるＰＭＴを合成し、送信部１１０に供給する。送信部１１０は、合成部１０９から供給された信号を電波に変換し、受信装置２００に向けて送信する。
【００３８】
以上のようにして、送信装置１００から送信された電波は、受信装置２００の受信部２０１によって受信される。受信部２０１は、受信した電波を対応する電気信号に変換し、分離部２０２に出力する。分離部２０２は、受信部２０１から供給された電気信号を映像、音声、字幕、および、文字スーパーのパケットに分離し、映像復号部２０３、音声復号部２０４、字幕復号部２０５、および、文字スーパー復号部２０６にそれぞれ供給する。
【００３９】
ここで、図４に示すように、ＰＴＳが付加されていない通常の文字スーパーの場合、この文字スーパーは文字スーパー復号部２０６に供給される。文字スーパー復号部２０６は、分離部２０２から供給された文字スーパーを復号し、同期制御部２０７に供給する。同期制御部２０７は、映像、音声、および、字幕のタイミングを調整して出力する。合成部２０８は、同期制御部２０７から出力される映像、音声、および、字幕と、文字スーパー復号部２０６から出力される文字スーパーとを合成して出力する。合成部２０８から出力された信号は、表示・再生装置２２０に供給され、映像、字幕、文字スーパーとして表示部に表示されるとともに、音声としてスピーカーから放音される。
【００４０】
一方、図５に示すように、文字スーパーにＰＴＳが付加された場合、受信部２０１から供給された文字スーパーは、字幕情報として扱われ、分離部２０２は、このＰＴＳが付加された文字スーパーを字幕復号部２０５に供給する。字幕復号部２０５は、この文字スーパーを字幕と同様に復号処理する。そして復号処理が終了すると、字幕復号部２０５は、同期制御部２０７にＰＴＳが付加された文字スーパーを出力する。
【００４１】
同期制御部２０７は、映像復号部２０３、音声復号部２０４、および、字幕復号部２０５から出力される映像、音声、ＰＴＳが付加された文字スーパーを、ＰＴＳの値を参照して、図５のタイミングチャートと同様のタイミングになるように調整を行った後、出力する。合成部２０８は、同期制御部２０７から供給される映像、音声、および、ＰＴＳが付加された文字スーパーと、文字スーパー復号部２０６から出力される文字スーパーを合成処理して得られた信号を出力する。合成部２０８から出力される信号は、表示・再生装置２２０に供給される。表示・再生装置２２０は、受信装置２００から供給される映像、音声、字幕、および、文字スーパーを表示部に表示する。
【００４２】
ところで、表示・再生装置２２０は、図示しないリモートコントローラの操作部を操作するか、あるいは、本体の操作部を操作することにより、字幕を表示部に表示するか非表示にするかを選択することができる。受信装置２００から供給された信号のうち、送信装置１００においてＰＴＳを付加された文字スーパーについては、字幕として扱われることから、前述したリモートコントローラの操作部または表示・再生装置２２０の操作部を操作することによって、表示部への表示の要否を選択することができる。
【００４３】
以上に説明したように、本発明の実施形態によれば、送信装置１００において、文字スーパーに対して、必要に応じてＰＴＳを付加するようにしたので、受信装置２００において、簡単な操作により文字スーパーの表示の要否を選択することが可能になる。
【００４４】
次に、図６を参照して、図２に示す送信装置１００において実行される処理の一例について説明する。図６に示すフローチャートの処理が開始されると、以下のステップが実行される。
【００４５】
ステップＳ１１では、ＳＴＣ再生部１０３は分解部１０１からＰＣＲを取得する。より詳細には、ＳＴＣ再生部１０３は、ＴＳ生成装置１２０から供給されるＴＳに含まれ、分解部１０１によって抽出されたＰＣＲを取得する。
【００４６】
ステップＳ１２では、ＳＴＣ再生部１０３は、ＳＴＣを生成する。より詳細には、ＳＴＣ再生部１０３は、内蔵しているクロック信号に基づいてＳＴＣのカウント動作を実行するとともに、分解部１０１から供給されるＰＣＲによって、ＳＴＣのカウント値を調整する。
【００４７】
ステップＳ１３では、制御部１０７は、文字スーパーが入力されているか否かを判定し、入力されていると判定した場合（ステップＳ１３：Ｙｅｓ）にはステップＳ１４に進み、それ以外の場合（ステップＳ１３：Ｎｏ）にはステップＳ１７に進む。より詳細には、制御部１０７は、選択部１０２からタイムスタンプ編集部１０４に文字スーパーが入力されているか否かを判定し、入力されていると判定した場合にはステップＳ１４に進み、それ以外の場合にはステップＳ１７に進む。
【００４８】
ステップＳ１４では、制御部１０７は、例えば、送信装置１００の管理者が、文字スーパーの字幕化を指示しているか否かを判定し、指示していると判定した場合（ステップＳ１４：Ｙｅｓ）にはステップＳ１５に進み、それ以外の場合（ステップＳ１４：Ｎｏ）にはステップＳ１７に進む。
【００４９】
ステップＳ１５では、タイムスタンプ編集部１０４は、選択部１０２から供給される文字スーパーに対して、ＳＴＣ再生部１０３のＳＴＣを参照して、タイムスタンプであるＰＴＳを付加する。これにより、文字スーパーは、図５に示すように、ＰＴＳが付加される。
【００５０】
ステップＳ１６では、ＰＭＴ編集部１０８は、ステップＳ１５のＰＴＳの付加に応じて、ＰＭＴを編集し、合成部１０９に出力する。より詳細には、文字スーパーが字幕に変更された場合、または、字幕が文字スーパーに変更された場合には、ＰＭＴに格納される情報が変化することから、ＰＭＴ編集部１０８は変更内容に応じてＰＭＴを編集して出力する。
【００５１】
ステップＳ１７では、制御部１０７は、処理を継続するか否かを判定し、継続すると判定した場合（ステップＳ１７：Ｙｅｓ）には、ステップＳ１１に戻って前述の場合と同様の処理を繰り返し、継続しないと判定した場合（ステップＳ１７：Ｎｏ）には処理を終了する。
【００５２】
以上の処理によれば、送信装置１００において、必要に応じて文字スーパーにＰＴＳを付加して、字幕化することができる。これにより、表示・再生装置２２０において、文字スーパーの表示の要否を簡単に選択することが可能になる。
【００５３】
（Ｅ）変形実施形態の説明
以上の各実施形態は一例であって、本発明が上述したような場合のみに限定されるものでないことはいうまでもない。例えば、以上の実施形態では、送信装置１００において、文字スーパーにタイムスタンプであるＰＴＳを付加するようにしたが、例えば、もともとＰＴＳが付加されている字幕からこのＰＴＳを削除するようにしてもよい。このような実施形態によれば、字幕を映像および音声と同期することはできなくなるが、字幕を文字スーパーとして扱うことにより、必要な場合には字幕を表示したままの状態とすることができる。
【００５４】
また、以上の実施の形態では、字幕化が指示された場合、すべての文字スーパーに対してＰＴＳを付加するようにしたが、例えば、特定の文字スーパーにのみＰＴＳを付加するようにしてもよい。例えば、地震情報や津波情報のように緊急性が高い情報については、字幕化が指示されている場合であっても、ＰＴＳを付加しないようにしてもよい。これにより、緊急性が高い情報については、表示・再生装置２２０において、字幕の非表示が選択されている場合であっても、確実に表示することができる。
【００５５】
また、以上の実施形態では、文字スーパーが文字情報（テキスト情報）である場合を例に挙げて説明したが、例えば、文字スーパーが画像情報である場合、または、文字情報と画像情報の双方を含む場合であっても、本発明を適用することができる。
【００５６】
また、以上の実施形態では、文字スーパーを字幕化する場合を例に挙げて説明したが、文字スーパーを字幕化するとともに、並行して、字幕を文字スーパー化するようにしてもよい。より詳細には、文字スーパーに対してＰＴＳを付加することによって字幕化し、字幕からＰＴＳを削除することによって文字スーパー化し、そして、これらの変更に基づいてＰＭＴを修正するようにすれば良い。
【符号の説明】
【００５７】
１  デジタル放送多重化システム
１０  送信側装置
２０  受信側装置
１００  送信装置
１０１  分解部
１０２  選択部
１０３  ＳＴＣ再生部
１０４  タイムスタンプ編集部（編集手段）
１０５  文字スーパー生成部
１０６  テキスト生成部
１０７  制御部
１０８  ＰＭＴ編集部（修正手段）
１０９  合成部
１１０  送信部
１２０  ＴＳ生成装置
１３０  文字スーパー生成装置
２００  受信装置
２０１  受信部
２０２  分離部
２０３  映像復号部
２０４  音声復号部
２０５  字幕復号部
２０６  文字スーパー復号部
２０７  同期制御部（調整手段）
２０８  合成部（再生手段）
２２０  表示・再生装置
【図１】
2014183416.tif 000003
【図２】
2014183416.tif 000004
【図３】
2014183416.tif 000005
【図４】
2014183416.tif 000006
【図５】
2014183416.tif 000007
【図６】
2014183416.tif 000008